(57)【要約】【課題】簡単な構成で、できるだけ手間をかけずに管理値を指示することができる管理値設定指針装置を提供する。【解決手段】管理値設定指針装置を、広角指示計３の円形の枠（例えば突出した透明カバーの周縁部の枠）４の外周部に、着脱自在に装着されるゴム製の環状体（輪ゴム）１と、この環状体１の任意の箇所に取付けられ、管理値を指示するための指針２とで構成する。管理値に該当する位置に指針２を配置した上で、環状体１を広角指示計３の円形の枠４の外周部にはめることにより、簡単に広角指示計３に装着することができる。【選択図】図１
2010038542.tif 000002
【特許請求の範囲】
【請求項１】
指示計の枠の外周部に、着脱自在に装着されるゴム製の環状体と、この環状体の任意の箇所に取付けられ、管理値を指示するための指針とを備えたことを特徴とする管理値設定指針装置。
【請求項２】
指示計の枠の外周部に、着脱自在に装着される弾性体製のＣ字型の枠体と、この枠体の所定の位置に取付けられ、管理値を指示するための指針とを備えたことを特徴とする管理値設定指針装置。
【請求項３】
前記指針が取付けられる所定の位置は、前記枠体の中央の位置から外れた位置であることを特徴とする請求項２に記載の管理値設定指針装置。
【発明の詳細な説明】
【技術分野】
【０００１】
本発明は、現場の巡回点検において、水位や流量、ポンプの電流値などを指示する指示計の異常値の発見を容易にするために、その上限値、下限値、あるいは適正値などの管理値を指示するための管理値設定指針装置に関する。
【背景技術】
【０００２】
水位や流量、ポンプの電流値などの計測値を指し示す現場の指示計に対して、巡回点検時、容易に異常値の発見ができるように、従来、上限値、下限値、あるいは適正値などの管理値を示すための目印として、図７に示すように広角指示計１０の透明カバーの表面にビニルテープ１１を貼っている。
【０００３】
また、特許文献１には、指示計の前面を覆う透明板の周囲に溝を設け、この溝の所定位置に設定指針を嵌め込むことにより管理値を示すことが開示されている。
【特許文献１】実用新案第３０１８８７２号公報
【発明の開示】
【発明が解決しようとする課題】
【０００４】
しかしながら、上述のように管理値を示すための目印としてビニルテープを貼る方法では、貼られた目印がテープであるため、設置環境により粘着力が落ちると剥がれ管理値が判らなくなる場合や、運用状況や需要量の変化により管理値の変更が起こる場合もあり、定期的にビニルテープの張り替えを実施しなくてはならなく、手間がかかっていた。
【０００５】
また、特許文献１のように、溝に設定指針を嵌め込むものでは、指示計に溝を設けなければならず、溝を加工する手間がかかるという問題があった。
【０００６】
本発明は、従来のこのような問題点に鑑みて為されたものであって、簡単な構成で、できるだけ手間をかけずに管理値を指示することができる管理値設定指針装置を提供することを目的とする。
【課題を解決するための手段】
【０００７】
上記目的を達成するために、本発明に係る管理値設定指針装置は、指示計の枠の外周部に、着脱自在に装着されるゴム製の環状体と、この環状体の任意の箇所に取付けられ、管理値を指示するための指針とを備えたことを特徴とする。
【０００８】
また、本発明に係る管理値設定指針装置は、指示計の枠の外周部に、着脱自在に装着される弾性体製のＣ字型の枠体と、この枠体の所定の位置に取付けられ、管理値を指示するための指針とを備えたことを特徴とする。
【発明の効果】
【０００９】
本発明によれば、簡単な構成で、指示計に簡単に取付けられる管理値設定指針装置を提供することができる。
【発明を実施するための最良の形態】
【００１０】
以下、図面を参照して本発明の実施形態について詳細に説明する。なお、以下の図において、同符号は同一部分または対応部分を示す。
【００１１】
（第１の実施形態）
図１は本発明の第１の実施形態に係る管理値設定指針装置とこれを装着する広角指示計の構成を示す斜視図である。
【００１２】
同図に示すように、この管理値設定指針装置は、広角指示計３の円形の枠（例えば突出した透明カバーの周縁部の枠）４の外周部に、着脱自在に装着されるゴム製の環状体（輪ゴム）１と、この環状体１の任意の箇所に取付けられ、管理値を指示するための指針２とで構成される。なお、この環状体１の断面は、図２（ａ）、（ｂ）、（ｃ）にそれぞれ示すように、長方形、または正方形であってもよいし、円形であってもよい。また、指針２は、例えばゴム製とし、小さな三角形の面状の指針部２ａと、環状体１に取付けるための取付け部２ｂとからなる。なお、指針２の取付け部２ｂは、図２に示すように、環状体１の一部を囲むように曲げられていてもよい。特に、環状体１の断面が円形の場合は、確実に取り付けるために、環状体１の一部を囲むように曲げられていることが好ましい。
【００１３】
この管理値設定指針装置を、広角指示計３に装着するには、計測値の上限値、下限値、あるいは適正値などの管理値に該当する位置に指針２を配置した上で、環状体１を広角指示計３の円形の枠４の外周部にはめる。このようにして、簡単に広角指示計３に装着することができる。そして、指針２により管理値を示すことにより、巡回点検時、容易に異常値の発見ができる。
【００１４】
また、管理値が変更になった場合には、例えば、環状体１を広角指示計３の円形の枠４の外周部から一旦取り外し、変更された管理値に該当する位置に指針２を配置し直して環状体１を広角指示計３の円形の枠４の外周部にはめることにより、簡単に、変更になった管理値を示すことができる。なお、変更される管理値がわずかである場合には、環状体１を広角指示計３の円形の枠４の外周部からわざわざとりはずさずに、指針２が変更された管理値に該当する位置となるまで、環状体１を回動させればよい。
【００１５】
また、例えば、管理値として計測値の上限値と下限値の両方を示すため、指針が２箇所必要な場合は、この管理値設定指針装置を２つ用意し、それぞれの指針２を上限値、下限値の位置に配置し、二つの環状体１を重ねて広角指示計３の円形の枠４の外周部にはめることとすればよい。
【００１６】
また、この管理値設定指針装置は、上述のような円形の枠４を有する指示計である広角指示計３に装着できるだけではなく、図３に示すように長方形の枠６を有する指示計である縦型指示計５の長方形の枠６の外周部にも装着することができる。
【００１７】
さらに、この管理値設定指針装置の指針２の形状あるいは色を変えたものを用意し、使用用途によって形状あるいは色を変え、維持管理の目視点検の効率性向上を図ることもできる。例えば、水位計と電流計など複数個の指示計を並べて設置してある場合、水位計に装着される管理値設定指針装置の指針２の指針部の色を青とし、電流計に装着される管理値設定指針装置の指針２の指針部の色を赤とすれば、遠くから見た場合にも、どちらが水位計でどちらが電流計かが判別できるので、監視上好都合である。
【００１８】
なお、指針２は、上述のようにゴム製の、三角形状の指針部を有するものとする代わりに、図４に示すように金属製のピン状のものとしてもよい。
【００１９】
以上説明したように、本実施形態の管理値設定指針装置は、簡単に広角指示計や縦型指示計に装着することができる。また、管理値が変更になった場合でも、簡単に再装着または指針の位置の修正を行うことができる。また、従来のビニルテープの場合のような定期的な張替えも不要である。
【００２０】
（第２の実施形態）
次に、本発明の第２の実施形態に係る管理値設定指針装置について説明する。図５に、本発明の第２の実施形態に係る管理値設定指針装置の構成を示す。
【００２１】
同図に示すように、この管理値設定指針装置は、広角指示計の円形の枠（例えば突出した透明カバーの周縁部の枠）の外周部に、着脱自在に装着される金属製またはプラスチック製のＣ字型の枠体７と、この枠体７の所定の位置に取付けられ、管理値を指示するための指針２とで構成される。このように、枠体７を金属製またはプラスチック製とするなど弾性体製としＣ字型とすることにより、指示計に着脱する場合にＣ字型の枠体７の両端部で形成される開口部を広げたとき、閉じる力があるカチューシャ状の枠体とすることができる。なお、このＣ字型の枠体７の断面は、上述の第１の実施形態の場合と同様に、長方形、または正方形であってもよいし、円形であってもよい。また、指針２は、例えばゴム製とし、小さな三角形の面状の指針部と、枠体７に取付けるための取付け部とからなる。なお、指針２の取付け部は、上述の第１の実施形態の場合と同様に、枠体７の一部を囲むように曲げられていてもよい。そして、この指針２のＣ字型の枠体３に対する取付け位置は、Ｃ字型の枠体７の中央の位置７Ａから外れた位置、例えば図３に示すように、Ｃ字型の枠体７の中心線に対して３０°〜４５°の範囲の位置に取付ける。これは、指示計に着脱するため開口部が広がったり狭まったりするときにＣ字型の枠体７の中央の位置７Ａに特に応力がかかるため、この位置を避けて指針２を取付けるのが好ましいためである。
【００２２】
この管理値設定指針装置を、広角指示計に装着するには、計測値の上限値、下限値、あるいは適正値などの管理値に該当する位置に指針２を配置した上で、Ｃ字型の枠体７の両端部で形成される開口部が広がるように両端部を手で持って外側に広げ、広角指示計の円形の枠の外周部にはまる位置に配置した上で手を離すことにより、Ｃ字型の枠体７の弾性力により開口部が閉じる方向に両端部が移動し、広角指示計に装着されることになる。このようにして、簡単に広角指示計に装着することができる。
【００２３】
また、この第２の実施形態においても、第１の実施形態と同様に、管理値設定指針装置の指針２の形状あるいは色を変えたものを用意し、使用用途によって形状あるいは色を変え、維持管理の目視点検の効率性向上を図ることもできる。
【００２４】
また、指針２は、上述のようにゴム製の、三角形状の指針部を有するものとする代わりに、金属製のピン状のものとしてもよい。
【００２５】
さらに、Ｃ字型の枠体７への着脱をさらに容易にするために、図６に示すように、枠体７の両端部を折り曲げて折曲部８ａ、８ｂを形成するように構成してもよい。
【００２６】
以上説明したように、本実施形態の管理値設定指針装置は、簡単に広角指示計に装着することができる。また、管理値が変更になった場合でも、簡単に再装着または指針の位置の修正を行うことができる。また、従来のビニルテープの場合のような定期的な張替えも不要である。
【図面の簡単な説明】
【００２７】
【図１】本発明の第１の実施形態に係る管理値設定指針装置とこれを装着する広角指示計の構成を示す斜視図。
【図２】本発明の第１の実施形態の取付け部の構成を示す断面図。
【図３】本発明の第１の実施形態に係る管理値設定指針装置とこれを装着する縦型指示計の構成を示す斜視図。
【図４】本発明の第１の実施形態に係る管理値設定指針装置の指針の他の構成例を示す斜視図。
【図５】本発明の第２の実施形態に係る管理値設定指針装置の構成を示す斜視図。
【図６】本発明の第２の実施形態に係る管理値設定指針装置の変形例の構成を示す斜視図。
【図７】従来例の構成を示す斜視図。
【符号の説明】
【００２８】
１…環状体
２…指針
２ａ…指針部
２ｂ…取付け部
３…広角指示計
４…円形の枠
５…縦型指示計
６…長方形の枠
７…Ｃ字型の枠体
８ａ、８ｂ…折曲部
【図１】
2010038542.tif 000003
【図２】
2010038542.tif 000004
【図３】
2010038542.tif 000005
【図４】
2010038542.tif 000006
【図５】
2010038542.tif 000007
【図６】
2010038542.tif 000008
【図７】
2010038542.tif 000009